(57)【要約】【課題】背の高さをより抑えることができる水洗大便器を提供する。【解決手段】水洗大便器は、便器本体と、機能ユニットと、を備える。便器本体は、便鉢と、便鉢に対応する開口部を有する上面部１６と、を有する。機能ユニットは、便鉢の後方に設けられ、便鉢を洗浄するための機能とは別の機能を提供する。上面部１６には、前方側が開口部に臨む、底面が水平面と略平行な凹部が形成されている。機能ユニットは、少なくとも一部が凹部内に位置する。【選択図】図６
2019056302.tif 000002
【特許請求の範囲】
【請求項１】
便鉢と、前記便鉢に対応する開口部を有する上面部と、を有する便器本体と、
前記便鉢の後方に設けられ、前記便鉢を洗浄するための機能とは別の機能を提供する機能ユニットと、を備え、
前記上面部には、前方側が前記開口部に臨む、底面が水平面と略平行な凹部が形成されており、
前記機能ユニットは、少なくとも一部が前記凹部内に位置することを特徴とする水洗大便器。
【請求項２】
前記機能ユニットは、
前記便鉢を洗浄するための機能とは別の機能をそれぞれ提供する第１装置および第２装置を含み、
前記第１装置および前記第２装置それぞれの少なくとも一部が前記凹部内に位置することを特徴とする請求項１に記載の水洗大便器。
【請求項３】
前記第１装置と前記第２装置は左右方向に並んでいることを特徴とする請求項２に記載の水洗大便器。
【請求項４】
前記凹部は、下側となるほど互いに近づくように傾斜する２つの側面を有し、
前記２つの側面は前記底面を挟んで配置されることを特徴とする請求項１から３のいずれかに記載の水洗大便器。
【請求項５】
前記凹部は、前後が開口した切欠状の凹部であることを特徴とする請求項１から４のいずれかに記載の水洗大便器。
【請求項６】
前記底面は、左右方向の長さが、前記開口部の左右方向の最大幅の１／２倍より長く形成されたことを特徴とする請求項１から５のいずれかに記載の水洗大便器。
【発明の詳細な説明】
【技術分野】
【０００１】
本発明は、水洗大便器に関し、特に機能ユニットを備える水洗大便器に関する。
【背景技術】
【０００２】
局部洗浄装置などの機器をユニット化した機能ユニットを備える水洗大便器が知られている。この機能ユニットは、通常、便器本体の上面部に取り付けられる。したがって、機能ユニットを備える水洗大便器は、背が高くなるという問題がある。
【０００３】
特許文献１には、便器本体の上面部に凹部を設け、その凹部に機能ユニットの一部を納めた水洗大便器が提案されている。この水洗大便器では、背の高さを比較的抑えられる。
【先行技術文献】
【特許文献】
【０００４】
【特許文献１】特開２０１０−１９６３７５号公報
【発明の概要】
【発明が解決しようとする課題】
【０００５】
本発明はこうした状況に鑑みてなされたものであり、その目的は、背の高さをより抑えることができる水洗大便器を提供することにある。
【課題を解決するための手段】
【０００６】
上記課題を解決するために、本発明のある態様の水洗大便器は、便鉢と、便鉢に対応する開口部を有する上面部と、を有する便器本体と、便鉢の後方に設けられ、便鉢を洗浄するための機能とは別の機能を提供する機能ユニットと、を備える。上面部には、前方側が開口部に臨む、底面が水平面と略平行な凹部が形成されており、機能ユニットは、少なくとも一部が凹部内に位置する。
【０００７】
なお、以上の構成要素の任意の組み合わせや、本発明の構成要素や表現を方法、システムなどの間で相互に置換したものもまた、本発明の態様として有効である。
【発明の効果】
【０００８】
本発明によれば、背の高さをより抑えることができる水洗大便器を提供できる。
【図面の簡単な説明】
【０００９】
【図１】図１（ａ）、（ｂ）は、第１の実施の形態に係る水洗大便器の斜視図である。
【図２】第１の実施の形態に係る水洗大便器の断面図である。
【図３】図１の便器本体の斜視図である。
【図４】図１の便器本体の上面図である。
【図５】図５（ａ）、（ｂ）は、図１の機能ユニットを下方前方から見た斜視図である。
【図６】図６（ａ）、（ｂ）は、凹部とその周辺を示す正面図である。
【図７】図７（ａ）、（ｂ）は、凹部とその周辺を示す断面図である。
【図８】第２の実施の形態に係る水洗大便器の斜視図である。
【図９】図８の便器本体の斜視図である。
【図１０】変形例に係る水洗大便器の便器本体の凹部とその周辺を示す正面図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（第１の実施の形態）
図１（ａ）、（ｂ）は、第１の実施形態に係る水洗大便器１００の斜視図である。図１（ａ）は機能ユニット１２およびカバー１３が浮上していない状態を示し、図１（ｂ）は機能ユニット１２およびカバー１３が浮上している状態を示す。図２は、水洗大便器１００の断面図である。図２は、機能ユニット１２が浮上していない状態を示す。また、図１（ａ）、（ｂ）および図２では、便座、便座カバー、機能ユニット１２を覆うカバーなどが取り外された状態を示す。また、図２では、カバー１３の表示を省略する。
【００１２】
水洗大便器１００は、洋式の水洗式大便器であり、便器本体１０と、機能ユニット１２と、カバー１３と、を備える。以下では、前後左右は、ユーザが通常の姿勢で水洗大便器１００に着座した状態における前後左右をいうものとする。
【００１３】
便器本体１０は、セラミック材料から形成される。なお、便器本体１０は、樹脂材料やその他の材料から形成されてもよい。便器本体１０は、便鉢１４と、上面部１６と、便器排水路１８と、外周壁部２０と、を含む。便鉢１４は、略漏斗状の部材であり、汚物を受ける。便鉢１４の上部の内周縁は、上面部１６の下面１６ａとともに、旋回流を生成するための通水路１５を構成する。
【００１４】
便器排水路１８は、一端は便鉢１４の流出口１４ａに通じ、他端は排水管（不図示）に通じている。便鉢１４に洗浄水が供給されると、汚物は洗浄水とともに便器排水路１８内に流れ、そこから排水管に排出される。外周壁部２０は、便鉢１４の外周側や便器排水路１８を隠すよう、それらを囲む。
【００１５】
上面部１６は、便鉢１４の上端周縁に接続されている。上面部１６は、便鉢１４の上端周縁の形状よりも僅かに小さい略楕円形状の開口部４０を有する。この開口部４０は、便鉢１４の上方に位置する、上面部１６の上面１６ｂは平坦に形成され、便座（不図示）が閉じているときに便座が当接する当接面として機能する。また、上面部１６の上面１６ｂは、機能ユニット１２が載置される載置面として機能する。また、上面部１６は、その内部に空洞部４６を含む。
【００１６】
機能ユニット１２は、その一部が上面部１６に載置された状態で、便鉢１４の後方側の上部に設けられる。機能ユニット１２は、便器本体１０に付随して用いられる電装品であり、便鉢１４を洗浄するための機能とは別の機能をそれぞれ提供する複数の装置をひとまとまりにしたものである。本実施の形態では、機能ユニット１２は、局部を洗浄するための局部洗浄装置３４と、臀部を乾燥するための乾燥装置３６と、便鉢１４内で発生する臭気を脱臭するための脱臭装置３８とを含む。乾燥装置３６、局部洗浄装置３４、脱臭装置３８は、この順に右側から左右方向に並んでいる。
【００１７】
カバー１３は、便器本体１０の後方に設置される。カバー１３は、便器本体１０の後方側を覆い隠し、水洗大便器１００の意匠性を確保する。
【００１８】
機能ユニット１２およびカバー１３は、不図示の昇降機構により、浮上する。具体的には、機能ユニット１２およびカバー１３は、機能ユニット１２の少なくとも一部が上面部１６に載置している下降位置（図１（ａ）の位置）と、機能ユニット１２が上面部１６に載置していない上昇位置（図１（ｂ）の位置）との間を昇降する。機能ユニット１２を上昇位置に上昇させることによって機能ユニット１２と上面部１６との間に手が入るスペースができる。ユーザは、このスペースから手を入れ、上面部１６の後方側を拭き掃除できる。なお、機能ユニット１２およびカバー１３は、ユーザが手で持ち上げることによって昇降されてもよい。
【００１９】
図３は、便器本体１０の斜視図である。図４は、便器本体１０の上面図である。上面部１６の後方側には、下向きに凹んだ凹部２２が形成されている。凹部２２は特に、水道管などの給水源や洗浄水タンク（いずれも不図示）から便鉢１４に洗浄水を供給するための通水路４４を避けた位置に形成されている。また、凹部２２は、空洞部４６の上方を避けた位置に形成される。逆にいうと、空洞部４６は、凹部２２の下方を避けた位置に形成される。本実施の形態では、凹部２２は便鉢１４の後端部の上方に設けられ、凹部２２の下方すなわち凹部２２と便鉢１４との間には空洞部４６は存在しない。より具体的には、凹部２２の平坦な底面２８（後述）と便鉢１４との間には空洞部４６は存在しない。
【００２０】
凹部２２は、便鉢１４の前方や側方の上面部１６の部分よりも下に凹んでいる。凹部２２は、後述の突出部１２ａが収容されるべく、突出部１２ａよりも大きく形成される。凹部２２は、本実施の形態では、開口部４０に沿うように延在している。すなわち、凹部２２は、平面視において、開口部４０に沿って僅かに湾曲している。また凹部２２は、本実施の形態では、その前方側が開口部４０に臨むように形成されている。すなわち、凹部２２は、開口部４０に連通している。凹部２２の周面のうちの前面全体が開口しているともいえる。また凹部２２は、本実施の形態では、正面視において、逆台形状を有する。
【００２１】
凹部２２は、第１側面（右側面）２４と、第２側面（左側面）２６と、底面２８と、背面３０と、を有する。底面２８は、平坦で、前後方向（すなわち奥行き方向）よりも左右方向に長い形状を有する。底面２８は、例えば左右方向の長さが奥行き方向の長さの２倍以上になるよう形成される。また底面２８は、例えばその左右方向の長さが、便器排水路１８の左右方向の幅よりも長くなるよう形成されてもよい。また底面２８は、例えばその左右方向の長さが、開口部４０の左右方向の最大幅の１／２倍より長くなるよう形成されてもよい。
【００２２】
第１側面２４および第２側面２６は、左右方向に互いに離間して設けられ、後述の突出部１２ａと左右方向で対向する。第１側面２４および第２側面２６は、下側となるほど互いに近づくように傾斜し、それらの上端は上面部１６の上面に接続され、それらの下端は底面２８に接続される。第１側面２４および第２側面２６は、平坦で、比較的緩やかな傾斜面となるよう形成される。好ましくは、第１側面２４および第２側面２６は、底面２８とのなす角が４５°以下になるよう形成される。本実施の形態では、底面２８は水平面と略平行であるため、第１側面２４および第２側面２６は、水平面とのなす角が４５°以下になるよう形成される。
【００２３】
背面３０は、底面２８とのなす角が４５°以上９０°以下になるよう形成される。本実施の形態では、上述のように底面２８は水平面と略平行であるため、背面３０は、水平面とのなす角が４５°以上９０°以下になるよう形成される。本実施の形態では、背面３０は、底面２８と実質的に直交するよう形成される。
【００２４】
また、背面３０は、開口部４０の後端部をオフセットさせた形状を有する。具体的には、背面３０は、後方側に凸形状となるよう湾曲している。ここで、セラミック材料から便器本体１０を形成する場合、上面部１６等に空洞部４６を作るために余剰のセラミック材料を排泥する。本実施の形態では、便器本体１０の後ろ側を持ち上げて前側から余剰のセラミック材料を排泥する。このとき、上述のように背面３０は後ろ側に凸形状となるよう湾曲しているため、背面３０の後方にセラミック材料が残らない。
【００２５】
図５（ａ）、（ｂ）は、機能ユニット１２を下方から見た斜視図である。水洗大便器１００は、細長い弾性部材３２をさらに備える。図５（ａ）は弾性部材３２が機能ユニット１２に固着された状態を示し、図５（ｂ）は弾性部材３２が取り外された状態を示す。機能ユニット１２は、ベースプレート４２をさらに含む。ベースプレート４２は、上面部１６に載置され、局部洗浄装置３４、乾燥装置３６、および脱臭装置３８を支持する。
【００２６】
機能ユニット１２は、その前方中央部に、下向きに突出した突出部１２ａを有する。この突出部は、下向きに凹んだベースプレート４２のベース凹部４２ａと、そのベース凹部４２ａに収容された局部洗浄装置３４のノズル３４ａの先端部と、乾燥装置３６の温風吹出口３６ａと、脱臭装置３８の脱臭吸込口３８ａおよび脱臭吐出口３８ｂと、それらの後方に位置する脱臭カートリッジ３８ｃとによって構成される。
【００２７】
ベースプレート４２の下面４２ｂには、概ね左右方向に延びる溝４２ｃが形成されている。溝４２ｃには、弾性部材３２が例えば両面テープにより着脱可能に固着される。弾性部材３２は、例えばゴムにより形成される。溝４２ｃは、機能ユニット１２の前縁よりも奥側（すなわち後方側）に形成される。したがって、そこに固着される弾性部材３２も、機能ユニット１２の前縁よりも奥側に設けられる。つまり、弾性部材３２は、機能ユニット１２の前縁よりも前側に突出しないように設けられる。
【００２８】
図６（ａ）、（ｂ）は、凹部２２とその周辺を示す正面図である。図７（ａ）、（ｂ）は、凹部２２とその周辺を示す断面図である。図６（ａ）、図７（ａ）は、機能ユニット１２が下降位置にあるときを示し、図６（ｂ）、図７（ｂ）は、機能ユニット１２が上昇位置にあるときを示す。
【００２９】
機能ユニット１２が下降位置にあるとき、その突出部１２ａは凹部２２内に位置する。具体的には本実施の形態では、機能ユニット１２が下降位置にあるとき、乾燥装置３６の温風吹出口３６ａと、脱臭装置３８の脱臭吸込口３８ａおよび脱臭吐出口３８ｂと、脱臭カートリッジ３８ｃとが凹部２２内に位置する。したがって、下降位置は、機能ユニット１２の少なくとも一部が凹部２２内に位置する進入位置ともいえる。
【００３０】
一方、機能ユニット１２が上昇位置にあるとき、突出部１２ａひいては機能ユニット１２全体は、凹部２２外に位置する。言い換えると、機能ユニット１２の全体が凹部２２内に位置しない。したがって、上昇位置は、機能ユニット１２全体が凹部２２外に位置する退避位置ともいえる。
【００３１】
図６（ａ）、図７（ａ）に示すように、機能ユニット１２が下降位置にあるとき、弾性部材３２は、凹部２２の第１側面２４と、第１側面２４と左右方向で対向する突出部１２ａの第１側面（右側面）１２ｂとに当接する。同様に、弾性部材３２は、凹部２２の第２側面２６と、第２側面２６と左右方向で対向する突出部１２ａの第２側面（左側面）１２ｃとに当接する。
【００３２】
本実施の形態ではさらに、凹部２２第１側面２４と突出部１２ａの第１側面１２ｂとの間の弾性部材３２と、凹部２２の第２側面２６と突出部１２ａの第２側面１２ｃとの間の弾性部材３２とは、凹部２２の底面２８と、底面２８と上下方向で対向する突出部１２ａの下面１２ｄとの間の隙間を通って連なっている。弾性部材３２は特に、凹部２２の底面２８と、突出部１２ａの下面１２ｄとに当接する。つまり、弾性部材３２は、正面視において、突出部１２ａと凹部２２との隙間を埋めるように設けられる。また、本実施の形態では、弾性部材３２は、凹部２２の左右方向外側の上面部１６の部分まで延びている。
【００３３】
また、弾性部材３２は、機能ユニット１２が下降位置にあるとき、凹部２２（特に底面２８）の前縁よりも奥側（すなわち後方側）に設けられる。つまり、弾性部材３２は、底面２８の前縁よりも前側に突出しないように設けられる。
【００３４】
以上説明した本実施の形態に係る水洗大便器１００によると、上面部１６の後方側には下向きに凹んだ凹部２２が形成される。この凹部２２は、便鉢１４の前方や側方の上面部１６の部分よりも下側に凹み、機能ユニット１２の一部を収容する。これにより、水洗大便器１００の背の高さは抑えられる。また、機能ユニット１２は、その全体が凹部２２外に位置する退避位置にも移動可能であり、機能ユニット１２を退避位置に移動させることによって機能ユニット１２と上面部１６との間に手を入れるスペースができる。ユーザは、このスペースから手を入れ、上面部１６の後方側を拭き掃除できる。つまり、本実施の形態に係る水洗大便器１００によると、背の高さを比較的抑えつつ、掃除しやすい水洗大便器を実現できる。
【００３５】
また、本実施の形態に係る水洗大便器１００によると、凹部２２は、乾燥装置３６および脱臭装置３８それぞれの一部を収容する。凹部２２は特に、局部洗浄装置３４を挟んで左右方向に並んだ乾燥装置３６および脱臭装置３８それぞれの一部を収容する。すなわち、凹部２２は、左右方向（すなわち水平方向）に比較的大きく形成される。このため、ユーザは、例えば布等の掃除具を持った指を凹部２２に差し入れて凹部２２を掃除できる。つまり、比較的容易に凹部２２を掃除できる。また、比較的大きく形成された凹部２２に機能ユニット１２の一部が収容されるため、水洗大便器１００の背の高さは抑えられる。したがって、本実施の形態に係る水洗大便器１００によると、背の高さを比較的抑えつつ、掃除しやすい水洗大便器を実現できる。
【００３６】
また、本実施の形態に係る水洗大便器１００によると、第１側面２４および第２側面２６は、下側となるほど互いに近づくように傾斜する。好ましくは、第１側面２４および第２側面２６は、底面２８とのなす角が４５°以下になるよう形成される。したがって、ユーザは、凹部２２内で布やペーパーやブラシなどの掃除具を、例えば左右方向に滑らせることによって、比較的容易に凹部２２内を掃除できる。具体的には、例えば、第１側面２４、底面２８、第２側面２６の順に、あるいは第２側面２６、底面２８、第１側面２４の順に布等を滑らせながら拭くことで、容易に凹部２２内を掃除できる。
【００３７】
また、本実施の形態に係る水洗大便器１００によると、凹部２２は、平坦な底面２８を有する。一般に、平坦な底面２８を有する凹部２２は、水平方向に比較的大きくなる。したがって、上述したように、ユーザは、例えば布等の掃除具を持った指を凹部２２に差し入れて凹部２２を掃除できる。つまり、比較的容易に凹部２２を掃除できる。また、上述したように、比較的大きく形成された凹部２２に機能ユニット１２の一部が収容されるため、水洗大便器１００の背の高さは抑えられる。したがって、本実施の形態に係る水洗大便器１００によると、背の高さを比較的抑えつつ、掃除しやすい水洗大便器を実現できる。
【００３８】
また、本実施の形態に係る水洗大便器１００によると、空洞部４６は凹部２２と便鉢１４との間には存在しない。したがって、空洞部４６がない分、凹部２２を深く形成でき、水洗大便器１００の背の高さをより抑えることができる。
【００３９】
また、本実施の形態に係る水洗大便器１００によると、便器本体１０の上面部１６に形成された凹部２２に機能ユニット１２の一部が収容され、弾性部材３２を介して機能ユニット１２の一部と凹部２２とが当接する。これにより、便器本体１０に対する機能ユニット１２の左右方向の位置を合わせることができ、水洗大便器１００の良好な見栄えを確保できる。特に、便器本体１０（特に凹部２２）と機能ユニット１２に製造誤差があっても、弾性部材３２によりその製造誤差を吸収しつつ、便器本体１０に対する機能ユニット１２の左右方向の位置を合わせることができる。
【００４０】
また、本実施の形態に係る水洗大便器１００によると、第１側面２４と第２側面２６とは、下側となるほど互いに近づくように傾斜する。機能ユニット１２を水洗大便器１００に組み付けるとき、または、掃除のために上昇させた機能ユニット１２を下ろすときに、第１側面２４と第２側面２６とによってガイドされ、機能ユニット１２は比較的スムーズに便器本体１０に対して所望の位置に載置される。
【００４１】
また、本実施の形態に係る水洗大便器１００によると、弾性部材３２は機能ユニット１２と凹部２２とが上下方向で対向する隙間を通って連なる。つまり、弾性部材３２は、正面視において、突出部１２ａと凹部２２との隙間を埋めるように設けられる。これにより、弾性部材３２がシールとして機能し、便鉢１４から凹部２２に入り込んだ汚水等が弾性部材３２を越えて後方に流れ込むのを抑止できる。その結果、弾性部材３２よりも奥側の凹部２２の部分や、凹部２２より後方の上面部１６などが汚れるのを抑止できる。
【００４２】
また、本実施の形態に係る水洗大便器１００によると、第１側面２４および第２側面２６は底面２８に対して傾斜する。ここで、仮に第１側面２４や第２側面２６が底面２８に対して直立する場合、第１側面２４と底面２８との連結部分や、第２側面２６と底面２８との連結部分で弾性部材３２が凹部２２から離れて浮き、正面視において突出部１２ａと凹部２２との間に隙間が生じうる。これに対し、本実施の形態に係る水洗大便器１００では、上述のように第１側面２４および第２側面２６は底面２８に対して傾斜しているため、連結部分で弾性部材３２が浮かないよう弾性部材３２を凹部２２に沿わせることができる。
【００４３】
また、本実施の形態に係る水洗大便器１００によると、凹部２２の背面３０は、水平面とのなす角が４５°以上９０°以下になるよう形成される。これにより、便鉢１４から凹部２２に入り込んだ汚水等が背面３０を越えて後方に流れ込むのを抑止できる。その結果、凹部２２の後方の上面部１６などが汚れるのを抑止できる。
【００４４】
また、本実施の形態に係る水洗大便器１００によると、弾性部材３２は、機能ユニット１２の前縁よりも奥側に設けられる。これにより、弾性部材３２がユーザに視認されにくくなり、水洗大便器１００の良好な美観を確保できる。また、本実施の形態に係る水洗大便器１００によると、弾性部材３２は凹部２２の底面２８の前縁よりも奥側に設けられる。これにより、便鉢１４から跳ねた汚水等で弾性部材３２が汚れるのが抑止される。
【００４５】
（第２の実施の形態）
図８は、第２の実施の形態に係る水洗大便器１００を示す斜視図である。図８は、図１（ａ）に対応する。水洗大便器１００は、便器本体１０と、機能ユニット１２と、を備える。便器本体１０は、便鉢１４と、上面部１６と、便器排水路（不図示）と、外周壁部２０と、を含む。本実施の形態では、水洗大便器１００は、カバー１３を有しない。代わりに、外周壁部２０が水洗大便器１００の意匠性を確保するよう前後左右を覆い隠す。
【００４６】
図９は、図８の便器本体１０を示す斜視図である。図９は図３に対応する。上面部１６の後方側には、下向きに凹んだ横長の凹部２２が形成されている。本実施の形態では、凹部２２は、開口部４０の後端縁から上面部１６の後端縁に亘る範囲に連続する溝状に形成される。言い換えると、凹部２２は、前後が開口した（すなわち前面および背面を有しない）切欠状に形成される。ベースプレート４２は、その全体が上面部１６よりも下方に位置するように凹部２２に収容される。
【００４７】
以上説明した本実施の形態に係る水洗大便器１００によると、第１の実施の形態に係る水洗大便器１００によって奏される作用効果と同様の作用効果が奏される。加えて、本実施の形態に係る水洗大便器１００によると、ベースプレート４２の全体が上面部１６よりも下方に位置する、すなわち機能ユニット１２が全体的に下方に下がる。これにより、上面部１６に対する機能ユニットの高さが、ひいては水洗大便器１００の背の高さがより抑えられる。
【００４８】
以上、実施の形態に係る水洗大便器について説明した。この実施の形態は例示であり、その各構成要素の組み合わせにいろいろな変形例が可能なこと、またそうした変形例も本発明の範囲にあることは当業者に理解されるところである。
【００４９】
（変形例１）
実施の形態では、凹部２２第１側面２４と突出部１２ａの第１側面１２ｂとの間の弾性部材３２と、凹部２２の第２側面２６と突出部１２ａの第２側面１２ｃとの間の弾性部材３２とが連なっている場合について説明したが、これに限られない。少なくとも凹部２２第１側面２４と突出部１２ａの第１側面１２ｂとの隙間と、凹部２２の第２側面２６と突出部１２ａの第２側面１２ｃとの隙間に弾性部材３２が設けられればよく、これらが連なっている必要はない。すなわち、凹部２２の底面２８と突出部１２ａの下面１２ｄとの間に弾性部材３２が存在していなくてもよい。
【００５０】
（変形例２）
実施の形態では、機能ユニット１２が、局部洗浄装置３４と、乾燥装置３６と、および脱臭装置３８とを含む場合について説明したが、これに限られない。機能ユニット１２は、便鉢１４を洗浄するための機能とは別の機能をそれぞれ提供する少なくとも２つの装置を含み、機能ユニット１２が進入位置（下降位置）にあるとき、その２つの装置それぞれの少なくとも一部が凹部２２内に位置すればよい。例えば、機能ユニット１２は、局部洗浄装置３４、乾燥装置３６、脱臭装置３８、便座を暖めるための便座暖房装置、およびトイレルームを暖めるための室内暖房装置のうちの少なくとも２の装置を含み、その２つの装置それぞれの少なくとも一部が凹部２２内に位置すればよい。
【００５１】
（変形例３）
実施の形態では、機能ユニット１２のベースプレート４２の下面４２ｂには弾性部材３２が固着されるべき溝４２ｃが形成されている場合について説明したが、これに限られない。弾性部材３２が固着されるべき位置が分かればよく、例えば、ベースプレート４２の下面４２ｂに弾性部材３２が固着されるべき位置を示すシールが貼り付けられても、固着されるべき位置を示すマークが塗装されていてもよい。
【００５２】
また、ベースプレート４２の代わりにまたはベースプレート４２に加えて上面部１６に、弾性部材３２が固着されるべき溝が形成されても、取り付けられるべき位置を示すシールが貼り付けられていても、取り付けられるべき位置を示すマークが塗装されていてもよい。この場合、弾性部材３２は、上面部１６に固着されてもよい。
【００５３】
また、弾性部材３２は、機能ユニット１２および上面部１６のいずれにも固着されなくてもよい。この場合、弾性部材３２は、機能ユニット１２と上面部１６とに挟まれて保持されてもよい。
【００５４】
（変形例４）
実施の形態では、機能ユニット１２が上下に昇降することにより、その一部が凹部２２内に位置する進入位置と、その全体が凹部２２外に位置する退避位置とを移動する場合について説明したが、これに限られない。機能ユニット１２が、その一部が凹部２２内に位置する進入位置と、その全体が凹部２２外に位置する退避位置とを移動可能であればよい。例えば機能ユニット１２は、その後方側が、左右方向に延びる支持軸に回動自在に支持されてもよい。この場合、機能ユニット１２の前方側が持ち上がるよう機能ユニット１２を回動させることにより、機能ユニット１２の全体が凹部２２外に位置する退避位置に移動されてもよい。
【００５５】
（変形例５）
実施の形態では、凹部２２の底面２８の左右方向の長さが、便器排水路１８の左右方向の幅よりも長くてもよいこと、または開口部４０の左右方向の最大幅の１／２倍より長くてもよいことについて説明したが、これに限られない。凹部２２の左右方向の長さ（すなわち凹部２２の上端縁の左右方向の最大幅）が、便器排水路１８の左右方向の幅よりも長くてもよい。あるいは、凹部２２の左右方向の長さが開口部４０の左右方向の最大幅の１／２倍より長くてもよい。
【００５６】
（変形例６）
実施の形態では、凹部２２と、凹部２２の左右外側の上面部１６の部分とに、弾性部材３２が設けられる場合について説明したが、これに限られない。図１０は、変形例に係る水洗大便器の便器本体の凹部２２とその周辺を示す正面図である。図１０は図６（ｂ）に対応する。本変形例では、弾性部材３２は、凹部２２の左右外側の上面部１６に対応する部分にだけ弾性部材３２が設けられる。つまり、弾性部材３２は、凹部２２に対応する部分には弾性部材３２は設けられない。この場合、凹部２２では、便鉢１４からの汚水等が後方に流れるのを背面３０により抑止し、凹部２２の左右外側の上面部１６の部分では、便鉢１４からの汚水等が後方に流れるのを弾性部材３２により抑止する。本変形例によれば、凹部２２に弾性部材３２を設けなくてよいため、弾性部材３２を減らすことができる。
【００５７】
（変形例７）
実施の形態では、凹部２２は、正面視において、逆台形状を有する場合について説明したが、これに限られない。凹部２２は、正面視において、Ｕ字状、Ｖ字状、円弧状、その他の形状を有していてもよい。つまり、第１側面２４および第２側面２６は曲面状に形成されてもよい。また、凹部２２の第１側面２４および第２側面２６は、連続した１つの面の一部であってもよい。あるいはまた、第１側面２４および第２側面２６は、連続した１つの面を形成してもよい。また、凹部２２は、凹部内に１つまたは複数の凹部を形成された形状であってもよい。つまり、凹部２２の第１側面２４および第２側面２６の少なくとも一方は、１つまたは複数の段部を有していてもよい。
【００５８】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００５９】
以上の記載から、下記の発明が認識される。
本発明のある態様の水洗大便器は、便鉢と、凹部が形成された上面部と、を有する便器本体と、便鉢の後方に設けられ、便鉢を洗浄するための機能とは別の機能を提供する機能ユニットと、を備える。機能ユニットは、少なくとも一部が凹部内に位置する進入位置と、その全体が凹部外に位置する退避位置とを移動可能である。
この態様によると、機能ユニットと上面部との間に手を入れるスペースができる。ユーザは、このスペースから手を入れ、上面部の後方側を拭き掃除できる。つまり、この態様によると、背の高さを比較的抑えつつ、掃除しやすい水洗大便器を実現できる。
【００６０】
機能ユニットは、便鉢を洗浄するための機能とは別の機能をそれぞれ提供する第１装置および第２装置を含んでもよい。第１装置および第２装置それぞれの少なくとも一部が凹部内に位置する進入位置と、その全体が凹部外に位置する退避位置とを移動可能であってもよい。
この態様によれば、凹部は、第１装置および第２装置それぞれの少なくとも一部を収容する大きさに形成される。すなわち、凹部２２は比較的大きく形成される。このため、ユーザは、比較的容易に凹部２２を掃除できる。また、比較的大きく形成された凹部２２に機能ユニットの一部が収容されるため、水洗大便器の背の高さは抑えられる。つまり、この態様によれば、背の高さを比較的抑えつつ、掃除しやすい水洗大便器を実現できる。
【００６１】
第１装置と第２装置は左右方向に並んでいてもよい。
この態様によれば、凹部２２は左右方向（すなわち水平方向）に比較的大きく形成されるため、ユーザは、より容易に凹部２２を掃除できる。
【００６２】
凹部は、平坦な底面を有してもよい。
一般に、平坦な底面を有する凹部は、水平方向に大きくなる。したがって、この態様によれば、凹部は、水平方向に比較的大きく形成されるため、ユーザはより容易に凹部２２を掃除できる。
【００６３】
底面は、左右方向の長さが奥行き方向の長さよりも長い平面であってもよい。
【００６４】
凹部は、下側となるほど互いに近づくように傾斜する２つの側面を有してもよい。２つの側面はそれぞれ、水平面とのなす角度が４５°以下であってもよい。
ここで、「２つの傾斜面」には、平坦な傾斜面、曲面状の傾斜面等が含まれる。また、「２つの傾斜面」はそれぞれ、連続した１つの面の一部であってもよい。あるいはまた、「２つの傾斜面」は、連続した１つの面を形成してもよい。
この態様によれば、凹部２２内で掃除具を例えば左右方向に滑らせることによって、比較的容易に凹部２２内を掃除できる。
【００６５】
凹部は、水平面とのなす角が４５°以上である背面を有してもよい。
この態様によれば、便鉢から凹部に入り込んだ汚水等が背面を越えて後方に流れ込むのを抑止できる。その結果、凹部の後方の上面部などが汚れるのを抑止できる。
【００６６】
凹部は、前後が開口した切欠状の凹部であってもよい。
【００６７】
第１装置および第２装置は、局部洗浄装置、乾燥装置、脱臭装置、便座暖房装置および室内暖房装置のうちのいずれか２つの装置であってもよい。
【００６８】
上面部は、その内部に空洞部を含んでもよい。空洞部は、凹部と便鉢との間には存在しない。
この態様によれば、空洞部がない分、凹部を深くでき、水洗大便器の背の高さをより抑えられる。
【符号の説明】
【００６９】
１０  便器本体、  １２  機能ユニット、  １４  便鉢、  １６  上面部、  １６ｂ  上面、  ２２  凹部、  ２８  底面、  ３２  弾性部材、  １００  水洗大便器。
【図１】
2019056302.tif 000003
【図２】
2019056302.tif 000004
【図３】
2019056302.tif 000005
【図４】
2019056302.tif 000006
【図５】
2019056302.tif 000007
【図６】
2019056302.tif 000008
【図７】
2019056302.tif 000009
【図８】
2019056302.tif 000010
【図９】
2019056302.tif 000011
【図１０】
2019056302.tif 000012